(57)【要約】【課題】不正部材（例えば、「フレキシブル基板」）の使用によるメダルカウントの誤作動を目的とした不正行為を確実に防止できる遊技機を提供する。【解決手段】サブプレート１３０と対向する位置に、サブプレート１３０の開閉方向に追従して偏倚する通路遮蔽部材２１０と、この通路遮蔽部材２１０の偏倚角度に基づいて、メダルカウントを無効にし、エラー信号を通知するエラー状態検出センサとを備えた不正部材検出装置２００を配設し、サブプレート１３０の開放方向にともない不正部材の挿入により偏倚する通路遮蔽部材２１０の偏倚角度に基づいて、メダルカウントを無効にするエラー状態を作動させることで、不正部材によるメダルカウントの誤作動を目的とした不正行為を防止する。【選択図】        図４
2008029637.tif 000002
【特許請求の範囲】
【請求項１】
メダル投入口から投入された正規のメダルを対象として、当該正規のメダルの枚数を計数するメダル計数センサと、当該メダル計数センサに至る通路までメダルの案内を行なう案内通路と、当該案内通路に対して開閉自在に設けられたサブプレートとを有するメダルセレクタを備えた遊技機において、
前記案内通路の上流側であって、前記サブプレートと対向する位置には、不正部材の挿入を検出する不正部材検出装置が配設され、
前記不正部材検出装置は、
前記サブプレートの開閉動作にともなって、当該サブプレートの開閉方向に追従して偏倚する通路遮蔽部材と、当該通路遮蔽部材の偏倚角度に基づいて、メダルカウントを無効にするエラー信号を通知するエラー状態検出センサとを備え、
前記通路遮蔽部材は、前記サブプレートの開放動作時に、当該サブプレートの開放方向に追従して偏倚するとともに、前記案内通路の経路を遮蔽し、前記メダルの通過にともなうメダルの押圧力により前記案内通路の配設方向に向けて偏倚し、
前記エラー状態検出センサは、前記サブプレートの開方動作時に、当該サブプレートの開放方向に追従して偏倚する通路遮蔽部材の偏倚角度に基づいて、前記メダル計数センサによるメダルカウントを無効にするエラー信号を通知することを特徴とする遊技機。
【請求項２】
前記通路遮蔽部材は、前記不正部材の挿入にともなう前記サブプレートの開放動作時に、当該サブプレートの開放方向に追従して偏倚することにより、当該不正部材の通過を許容する一方、前記メダルレールの下流側から上流側に向けて引き戻される不正部材の通過は阻止することを特徴とする請求項１に記載の遊技機。
【請求項３】
前記通路遮蔽部材の先端部には、前記メダルレールの下流側から上流側に向けて引き戻される不正部材の通過を阻止する通過阻止部が形成されていることを特徴とする請求項２に記載の遊技機。
【発明の詳細な説明】
【技術分野】
【０００１】
この発明は、遊技媒体（メダル・パチンコ玉）を用いて遊技を行なうことが可能なパチスロ機やパチンコ機などの遊技機に関し、特に、不正用の特殊器具（例えば、「フレキシブル基板」などの不正部材）の使用によるメダルカウントの誤動作を目的とした不正行為を防止できる遊技機に関する。
【背景技術】
【０００２】
従来より、メダルの投入若しくはＢＥＴボタン押下後にスタートレバーを操作して機械的回転リール（以下、リールと記載する）を回転駆動させるとともに、各リールに対応したストップボタンを押下操作することによって各リールを停止させ、リール表示窓内に停止された図柄の組合せに応じてメダルを払い出すパチスロ機と呼ばれる遊技機が知られている。
【０００３】
このようなパチスロ機の場合、メダル投入口から１〜３枚のメダルが投入されスタートレバーが操作されると、リールを回転駆動させて複数の図柄を変動させるとともに、遊技者によるストップボタンの押下操作に応じて、回転している図柄を停止表示させ、入賞役図柄の組合せが有効ライン上に停止表示された場合には、入賞役に応じた所定枚数のメダルをメダルホッパーから払い出し口を通じて払い出す。ここで、通常、メダル投入口からは、適正なメダル（正規メダル）が投入されるが適正でないメダル（不正メダル）が投入される場合がある。
【０００４】
このため、パチスロ機には、メダルの投入口から投入されたメダルが正規メダルか不正メダルかを判別するとともに、不正メダルをキャンセルシュートを通じてメダル払い出し口から返却し、正規メダルは、メダル枚数としてカウントするとともに、このメダルをメダル通路からメダルホッパー内に貯留するメダルセレクタを備えている。
【０００５】
[従来のメダルセレクタ１００ａの構成]
ここで、図１２〜図１４を参照して、従来のメダルセレクタ１００ａの概要について簡単に説明する。このうち、図１２は、メダルセレクタ１００ａの構成を示す平面図を、図１３は、サブプレート１３０及びキャンセルシュータ１４０を取り除いたメダルセレクタ１００ａの構成を示す平面図を、図１４は、メダルセレクタ１００ａの裏面図をそれぞれ示している。
【０００６】
同図に示すように、メダルセレクタ１００ａは、メダルセレクタ１００ａ本体の外枠筐体を構成するコ字型に成型されたベース板部１１０と、本体表面に形成されメダルが通過するメダルレール１１１を覆うサブプレート１３０と、不正メダルと判別されたメダルを排出するキャンセルシュータ１４０とにより構成されている。なお、このメダルセレクタ１００ａの下方には、不正メダルと判別されたメダル及びメダルホッパー２１（図３）から排出されるメダルをメダル払い出し口２０（図１）に払い出すキャンセルシュート３００（図２）が接続されている。
【０００７】
また、ベース板部１１０にはブラケット１０１が取り付け固定され、このブラケット１０１には、メダルセレクタ１００ａにより正規メダルと判別されたメダルを、メダルホッパー２１（図３）に案内する案内路１０２を有するスロープ１０３が一体成形されている。
【０００８】
また、サブプレート１３０は、平板状の本体部１３１を有するとともに、この本体部１３１の上部位置に設けた軸部１３２には捻りコイルばね１３３（トーションバネ）が取り付け固定されている。通常時、サブプレート１３０は、ベース板部１１０に固設された軸部１３２に巻装された捻りコイルばね１３３による弾力により、ベース板部１１０側に押し付けられており、メダルを通過させるガイド板として機能する。
【０００９】
ここで、例えば、メダルセレクタ１００ａ内にメダル詰まりが生じた場合、メダル返却ボタン１２ａ（図１）を押すことにより、サブプレート１３０を捻りコイルばね１３３の弾力に抗して開放させることができ、このサブプレート１３０の開放により詰まったメダルをキャンセルシュータ１４０内に排出させることができる。前述したように、このキャンセルシュータ１４０内に排出されたメダルは、キャンセルシュート３００を通じてメダル払い出し口２０（図１）から返却される。
【００１０】
また、ベース板部１１０の上流端には、メダル投入口１２（図１）から投入されるメダルを受け入れるメダル入口部１１２が設けられ、このメダル入口部１１２からメダルセレクタ１００ａ内に投入されたメダルは、ベース板部１１０に形成されたメダルレール１１１に沿って下流端に向けて案内される。また、メダルレール１１１のほぼ中間位置には、正規の大きさのメダルをメダルレール１１１の下流にガイドするセレクトプレート１１３が配置されている。また、このセレクトプレート１１３が配置されている部分のメダルレール１１１の表面位置には、通過するメダルにより下方に押し込まれるメダルプレッシャ１１４(図１３)が配置されている。
【００１１】
これらセレクトプレート１１３及びメダルプレッシャ１１４は、投入されたメダルが規格寸法よりも小さいと、そのメダルをセレクトプレート１１３で案内することなく、メダルプレッシャ１１４によってキャンセルシュータ１４０に押し出す構成となっている。また、投入されたメダルが適正なメダル（正規メダル）の場合、メダルは、セレクトプレート１１３に沿って案内され、メダルプレッシャ１１４を押し込みながら、メダルレール１１１の下流側に案内される。
【００１２】
通常、セレクトプレート１１３は、メダルのガイド位置に位置付けされているが、所定の条件下（例えば、規定枚数のメダル投入時、エラー発生時、遊技開始時など）では、セレクトプレート１１３は、メダルの排出位置に移動し、メダル投入口１２から投入されたメダルを強制的にキャンセルシュータ１４０に排出する。１１６は、メダルレール１１１に配置された磁石で、この磁石１１６に吸着（着磁）したメダルは、規格外のメダル（不正メダル）として、キャンセルシュータ１４０に排出される。
【００１３】
メダルプレッシャ１１４の近傍位置には、フォトセンサ１１７(図１４)が配置され、このフォトセンサ１１７は、メダルプレッシャ１１４がメダルの通過によって押圧されている間は、メダルの通過信号をパチスロ機１に出力する。すなわち、このフォトセンサ１１７によりメダルセレクタ１００ａの内部でメダル詰まりが発生したり、何らかの不正操作が行われたことを検出する。例えば、メダルセレクタ１００ａ内にメダル以外の器具が挿入された場合などでは、メダルプレッシャ１１４に対する押圧時間が所定時間以上（２００ｍｓｅｃ以上）となるため、この場合に、エラー信号が送出されメダル計数センサ１２０によるメダルカウントを無効としている。
【００１４】
また、メダルレール１１１の下流側には、発光素子及び受光素子とを有する２つのメダル計数センサ１２０（ダブル反射型フォトセンサ）が配設されており、このメダル計数センサ１２０により、メダルセレクタ１００ａのメダルレール１１１上を通過するメダルのカウント（メダルの計数）及びメダル詰まりや不正操作などの異常動作を検出する。メダル計数センサ１２０を通過したメダルは、ブラケット１０１に設けられたスロープ１０３を介してメダルホッパー２１（図３）内に貯留される。
【００１５】
また、メダルレール１１１の下流側の表面には、メダルストッパ部１２６及びアフタメダルプレッシャ１２７(図１３)とが設けられている。このメダル排出位置に位置付けされたセレクトプレート１１３によって、ガイドされることのないメダルは、メダルプレッシャ１１４によって押圧されるとともに、上方に突出したアフタメダルプレッシャ１２７及びメダルストッパ部１２６に当接するため、このメダルは、キャンセルシュータ１４０に向けて排出される。
【００１６】
次に、図１５−１及び図１５−２を参照して、正規メダルと判別されたメダル及び不正メダルと判別されたメダルの通過経路について説明する。すなわち、図１５−１に示すように、メダル投入口１２から投入されたメダルは、メダル入口部１１２からメダルレール１１１を通り、セレクトプレート１１３によりメダルレール１１１の下流に案内され、メダルレール１１１の下流端に設けられたメダル計数センサ１２０によりカウントされるとともに、スロープ１０３の案内路１０２を通じて、メダルホッパー２１（図３）内に貯留される。
【００１７】
一方、図１５−２に示すように、不正メダルの場合、このメダルは、メダル投入口１２からメダルレール１１１を通過するが、セレクトプレート１１３により案内されないために、このメダルは、メダルプレッシャ１１４により押圧され、メダルレール１１１ａからキャンセルシュータ１４０（図１２）内に排出される。
【００１８】
上述したように、メダルセレクタ１００ａのキャンセルシュータ１４０内に落下したメダルは、メダルセレクタ１００ａの下方に接続されたキャンセルシュート３００（図２）を通じてメダル払い出し口２０から返却される。
【００１９】
以上説明したように、メダルセレクタ１００ａは、メダルの真偽を判別するとともに、正規メダルと判別したメダルをメダル計数センサ１２０により検出し（メダル枚数のカウント）、このメダルをメダルホッパー２１に排出する機能及び不正メダルと判別したメダルをキャンセルシュータ１４０からキャンセルシュート３００を通じてメダル払い出し口２０から返却する機能を備えている。
【００２０】
ここで、パチスロ機１による遊技はメダルセレクタ１００ａの内部に設けたメダル計数センサ１２０により検出されたメダルの枚数（メダルカウント）に応じてリールを回転させるため、実際にメダルを投入しなくても、このメダル計数センサ１２０を誤作動させることができれば、クレジット枚数を満杯（最大、５０枚）にしたり、メダルを使用することなく遊技を行なうことができる。このため、従来では、メダル計数センサ１２０の誤作動を目的とした不正用の特殊器具（例えば、「フレキシブル基板」などの不正部材）を使用した不正行為が行なわれることがある。
【００２１】
以下、上述した不正用の特殊器具（不正部材）の概要について簡単に説明する。図１６は、不正用の特殊器具として使用される不正部材１２１（例えば、「フレキシブル基板」）の概要を示す構成図である。同図に示すように、不正部材１２１は、メダルセレクタ１００ａのメダルレール１１１（図１５−１）の形状に合わせて成形された基材１２２と、この基材１２２の基端部側に設けられたスイッチ１２３と、基材１２２の先端部１２４に設けられた２個の発光素子１２５とを備えており、この不正部材１２１の先端部１２４をメダル計数センサ１２０の位置まで挿入した状態で、スイッチ１２３をＯＮ／ＯＦＦすることで発光素子１２５を点滅させることにより、メダルカウントの誤動作を発生させることとなる。
【００２２】
以上説明したように、従来では、不正部材を使用したメダルカウントの誤動作を目的とした不正行為が行なわれることがあるため、メダルセレクタには遊技を行なううえで不正行為を防止すべく、メダルプレッシャ１１４を配設し、このメダルプレッシャ１１４による押圧時間に基づいた不正行為防止対策が行なわれている。
【００２３】
また、この種の不正部材による不正行為を防止する従来技術として、例えば、特許文献１には、不正改良などの目的で遊技機からメダルセレクタが取り外された場合、このメダルセレクタの取り外しを検出するとともに、取り外しの履歴情報をに基づいて、不正な取り外しがあったことを報知する報知手段を備えている遊技機について開示されている（特許文献１参照）。
【００２４】
上述した特許文献１に開示された従来技術によると、不正改良などの目的で遊技機からメダルセレクタが取り外された場合、このメダルセレクタの取り外しを検出するとともに、取り外しの履歴情報に基づいて、不正な取り外しがあったことを報知するので、不正行為を行なう以前に不正行為を的確に防止することができる。
【００２５】
【特許文献１】特開２００６−６１４８５号公報
【発明の開示】
【発明が解決しようとする課題】
【００２６】
しかしながら、上述した従来のメダルセレクタに備えた部材による不正行為対策の場合、依然として、メダルカウントの誤作動を目的とした不正行為を防止する対策としては充分とは言えない。
【００２７】
すなわち、上述した従来のメダルセレクタに備えた不正行為防止対策の場合、不正部材１２１がメダルセレクタ１００ａ内に挿入されると、この不正部材１２１により所定時間以上の間、メダルプレッシャ１１４が押圧されるため、エラー検知によりメダルカウントを行なわない構成となっている。ところが、実際に不正部材１２１をメダルセレクタ１００ａの内部に挿入させてメダルカウントの誤動作を目的とした不正行為を行なう場合、この不正部材１２１をメダルプレッシャ１１４に接触させない方法が考えられる。
【００２８】
具体的には、メダルレール１１１の上方に位置するサブプレート１３０を開放させた状態で、メダルセレクタ１００ａの内部に不正部材１２１を挿入すれば、メダルプレッシャ１１４を押圧することなくメダル計数センサ１２０の位置まで不正部材１２１を到達させることができる。すなわち、サブプレート１３０を意図的に開放させることで、不正部材１２１をメダルプレッシャ１１４に接触することなく、このメダルプレッシャ１１４によるエラー検知を回避し、メダル計数センサ１２０の位置まで不正部材１２１を到達させることができる。以上のことから、不正部材１２１を使用した不正行為を確実に防止することができないという問題がある。
【００２９】
また、従来公報において開示されているメダルセレクタの取り外しを履歴情報として取得するとともに不正な取り外しを検知した時に、報知を行なう不正行為対策の場合においても、同様に、特にメダルセレクタに対する不正改良を行なうことなく、サブプレートの開閉操作を行なうことで、メダルプレッシャ１１４によるエラー検知を回避することにより、メダルカウントの誤動作を発生させることができるため、依然として、このようなメダルカウントの誤作動を目的とした不正部材による不正行為を防止する対策としては充分とは言えない。
【００３０】
そこで、この発明は、上述した従来技術の課題を解決するためになされたものであり、メダルカウントの誤作動を目的とする不正部材による不正行為を確実に防止できる遊技機を提供することを目的とする。
【課題を解決するための手段】
【００３１】
上述した課題を解決し、目的を達成するため、本発明は、メダル投入口から投入された正規のメダルを対象として、当該正規のメダルの枚数を計数するメダル計数センサと、前記メダル投入口からメダル計数センサに至る通路までメダルの案内を行なう案内通路と、当該案内通路に対して開閉自在に設けられたサブプレートとを有するメダルセレクタを備えた遊技機において、前記案内通路の上流側であって、前記サブプレートと対向する位置には、不正部材の挿入を検出する不正部材検出装置が配設され、前記不正部材検出装置は、前記サブプレートの開閉動作にともなって、当該サブプレートの開閉方向に追従して偏倚する通路遮蔽部材と、当該通路遮蔽部材の偏倚角度に基づいて、メダルカウントを無効にするエラー信号を通知するエラー状態検出センサとを備え、前記通路遮蔽部材は、前記不正部材の挿入にともなう前記サブプレートの開放動作時に、当該サブプレートの開放方向に追従して偏倚するとともに、前記メダルの通過にともなうメダルの押圧力により前記案内通路の配設方向に向けて偏倚し、前記エラー状態検出センサは、前記サブプレートの開方動作時に、当該サブプレートの開放方向に追従して偏倚する通路遮蔽部材の偏倚角度に基づいて、メダルカウントを無効にするエラー信号を通知することを特徴とする。
【００３２】
本発明によれば、メダルセレクタのサブプレートと対向する位置に不正部材の挿入を検出する不正部材検出装置を配設し、不正部材検出装置は、サブプレートの開閉方向に追従して偏倚する通路遮蔽部材と、通路遮蔽部材の偏倚角度に基づいて、メダルカウントを無効にするエラー信号を通知するエラー状態検出センサとを備え、エラー状態検出センサは、サブプレートの開方動作時に、当該サブプレートの開放方向に追従して偏倚する通路遮蔽部材の偏倚角度に基づいて、メダルカウントを無効にするエラー状態を作動させるので、サブプレートを開放させた状態で不正部材を挿入した場合でも、メダル計数センサによる誤作動を防止することができ、これにより、メダルカウントの誤作動を目的とした不正行為を確実に防止することができる。
【００３３】
また、請求項２に係る発明は、上記発明において、前記通路遮蔽部材は、前記不正部材の挿入にともなう前記サブプレートの開放動作時に、当該サブプレートの開放方向に追従して偏倚することにより、当該不正部材の通過を許容する一方、前記メダルレールの下流側から上流側に向けて引き戻される不正部材の通過は阻止することを特徴とする。
【００３４】
本発明によれば、通路遮蔽部材は、一度、メダルセレクタの内部に挿入した不正部材を、このメダルセレクタの内部から引き戻そうとした場合でも、サブプレートの開放動作により偏倚した通路遮蔽部材の先端部に不正部材が衝合することなり、これによって、不正部材の引き戻しを阻止することができるうえ、不正部材の使用による不正行為が行なわれたことを的確に判定することができる。
【００３５】
また、請求項３に係る発明は、上記発明において、前記通路遮蔽部材の先端部には、前記メダルレールの下流側から上流側に向けて引き戻される不正部材の通過を阻止する通過阻止部が形成されていることを特徴とする。
【００３６】
本発明によれば、メダルレールの下流側から上流側に向けて引き戻される不正部材の通過は、通路遮蔽部材に形成された通過阻止部により、阻止することができるので、不正部材の引き戻しをより確実に阻止することができるうえ、不正部材の使用による不正行為が行なわれたことを的確に判定することができる。
【発明の効果】
【００３７】
本発明の遊技機は、遊技機の内部に備えたメダルセレクタのサブプレートと対向する位置に、不正部材を使用する時に行なうサブプレートの開閉動作を検出する不正部材検出装置を設けたので、不正部材によるメダルカウントの誤作動を目的とした不正行為を確実に防止することができる。
【発明を実施するための最良の形態】
【００３８】
以下に添付図面を参照して、本発明に係る遊技機の実施例を詳細に説明する。なお、本発明は、メダル、コイン、遊技玉又はトークンなどを遊技媒体として用いる各種遊技機に適用することができるが、ここでは、本発明をメダルを遊技媒体として用いるパチスロ機に適用した場合について説明する。
【実施例】
【００３９】
[パチスロ機１の全体構成]
先ず、実施例に係るパチスロ機１の外観構成と内部構成について詳細に説明する。図１は、実施例に係るパチスロ機１の外観構成を示す斜視図を示している。また、図２は、前面ドアの内部構成の正面図を、図３は、パチスロ機１の内部構成の正面図を、それぞれ示している。
【００４０】
図１、２に示すように、パチスロ機１の全体を形成している筐体は、箱状のキャビネット１ａと、このキャビネット１ａの前部に形成した開口を開閉する前面ドア２とを備える。また、パチスロ機１の上部には、左右対称位置にスピーカ６Ｌ，６Ｒが設けられており、これらのスピーカ６Ｌ，６Ｒは、遊技時の演出に関する効果音や音声などによる演出音を出力するように構成されている。
【００４１】
図１に戻り、パチスロ機１の前面部には、略垂直面をなすパネル表示部２ａ及び液晶表示部２ｂが設けられている。パネル表示部２ａには、リール表示窓４Ｌ，４Ｃ，４Ｒが設けられ、このリール表示窓４Ｌ，４Ｃ，４Ｒには、水平方向にトップライン５ｂ、センターライン５ｃ及びボトムライン５ｄの表示ラインが設けられ、斜め方向にクロスアップライン５ａ及びクロスダウンライン５ｅの表示ラインが設けられる。
【００４２】
後述するように、遊技者がメダル投入口１２に１枚又は２枚のメダルを投入した場合には、それぞれ１本（センターライン５ｃ）又は３本（トップライン５ｂ、センターライン５ｃ及びボトムライン５ｄ）の表示ラインが有効となる。また、遊技者が３−ＢＥＴボタン１５を押下操作するか又は遊技者がメダル投入口１２に３枚のメダルを投入すると、５本の各ライン５ａ〜５ｅが有効となる。なお、これら各ライン５ａ〜５ｅは役の成否に関わる。また、液晶表示部２ｂは、パチスロ遊技時の各種演出や待機時のデモ表示などを行なう。
【００４３】
前面ドア２の背後には、複数種類の図柄が各々の外周面に描かれた３個のリール３Ｌ，３Ｃ，３Ｒが回転自在に横一列に設けられており、各リール３Ｌ，３Ｃ，３Ｒは、一定の速度（例えば、８０回転／分）で回転する。これら３個のリール３Ｌ，３Ｃ，３Ｒによりリールユニット３が構成される。各リール３Ｌ，３Ｃ，３Ｒは、リール表示窓４Ｌ，４Ｃ，４Ｒから目視することができ、各リール３Ｌ，３Ｃ，３Ｒが回転中であり、停止ボタン１８Ｌ，１８Ｃ，１８Ｒが押下操作可能である場合には、遊技者がリール３Ｌ，３Ｃ，３Ｒ上の図柄を視認できるように透過状態となる。
【００４４】
また、パネル表示部２ａ及び液晶表示部２ｂの下方には、略水平面をなす台座部１１が設けられている。この台座部１１の右側には、メダルを投入するためのメダル投入口１２が設けられており、このメダル投入口１２に投入されたメダルは、クレジットされるか又はゲームに賭けられる。
【００４５】
メダル投入口１２は、メダルセレクタ１００を構成するメダル通路（図示せず）に連絡されており、このメダルセレクタ１００によりメダル投入口１２から投入されたメダルが正規メダルか不正メダルであるかをメダルの大きさや磁性特性などにより判別することができる。また、メダル投入口１２の形成位置にあるメダル返却ボタン１２ａを押下することにより、例えば、メダルセレクタ１００内で詰まったメダルなどをメダル払い出し口２０から返却させることができる。
【００４６】
また、台座部１１の左側には、クレジットされているメダルを賭けるための１枚賭け用の１−ＢＥＴボタン１３と、２枚賭け用の２−ＢＥＴボタン１４と、３枚賭け用の３−ＢＥＴボタン１５とが設けられている。３−ＢＥＴボタン１５は、所謂ＭＡＸ−ＢＥＴボタンであり、１回の押下操作によりクレジットされたメダルから１ゲームに賭け得る最大枚数のメダル（通常は３枚）が賭けられる。
【００４７】
かかる１−ＢＥＴボタン１３，２−ＢＥＴボタン１４，３−ＢＥＴボタン１５を押下操作するか若しくは３枚のメダルがメダル投入口１２に投入されると、所定のライン５ａ〜５ｅが有効化される。
【００４８】
台座部１１の前面部の左寄りには、遊技者がゲームで獲得したメダルをクレジットするか、クレジットしたメダルを払い出すかを押下操作で切り換えるＣ／Ｐボタン１６が設けられている。所定枚数のメダルがクレジットされた状態でＣ／Ｐボタン１６が押下されると、クレジットが無効化され該クレジットされた枚数分のメダルが正面下部に開口したメダル払い出し口２０からメダル受け部１９に投出される。
【００４９】
また、クレジットが無効化された状態でこのＣ／Ｐボタン１６が押下されると、クレジットが有効となる。このＣ／Ｐボタン１６の右側には、遊技者の操作によりリール３Ｌ〜３Ｒを回転駆動させるスタートレバー１７が所定の角度範囲で回動自在に取り付けられている。
【００５０】
台座部１１の前面部中央で、スタートレバー１７の右側には、３個のリール３Ｌ，３Ｃ，３Ｒの回転をそれぞれ停止させるための３個の停止ボタン１８Ｌ，１８Ｃ，１８Ｒが設けられている。なお、１ゲーム（単位遊技）は、スタートレバー１７が操作されることによって開始され、全てのリール３Ｌ，３Ｃ，３Ｒが停止したときに終了する。
【００５１】
また、パネル表示部２ａには、ボーナス回数表示部８、ＢＥＴランプ７ａ〜７ｃ、クレジット表示部９及び払出枚数表示部１０が設けられている。ボーナス回数表示部８は、７セグメントＬＥＤにより形成されておりボーナス中の遊技情報を表示する。
【００５２】
ＢＥＴランプ７ａ〜７ｃは、１ゲームを行なうために賭けられたメダル数（以下「ＢＥＴ数」と言う）に応じて点灯するランプであり、具体的には、１−ＢＥＴランプ７ａはＢＥＴ数が１の時に点灯し、２−ＢＥＴランプ７ｂはＢＥＴ数が２以上である場合に点灯し、３−ＢＥＴランプ７ｃはＢＥＴ数が３以上である場合に点灯する。
【００５３】
また、クレジット表示部９及び払出枚数表示部１０は、それぞれ７セグメントのＬＥＤにより形成され、クレジット表示部９にはクレジットされている残メダル枚数が表示される。ここで、通常は、パチスロ機１にクレジットされる最大枚数は５０枚であるので、このクレジット表示部９に表示されるクレジット枚数は５０以下となる。なお、最大枚数の５０枚のメダルがクレジットされている状態で、メダルを投入してもそのまま払い出される。また、払出枚数表示部１０には入賞が成立した時のメダル払出枚数が表示される。
【００５４】
図２に示すように、前面ドア２の片側（図２の左側）には、メダルセレクタ１００と、このメダルセレクタ１００の下流端に接続されたキャンセルシュート３００とが設けられている。メダルセレクタ１００は、メダル投入口１２から投入されたメダルが、メダルセレクタ１００の内部に形成されたメダル通路を通過する際に、メダルの真偽を判別し、正規メダルと判別されたメダルをカウントするとともに、メダルセレクタ１００の排出側に接続しているメダルホッパー２１（図３）まで案内されて貯留される。
【００５５】
一方、メダルセレクタ１００により不正メダルと判別されたメダルは、メダルセレクタ１００の下方に設けたキャンセルシュータ１４０を通じて、キャンセルシュート３００の内部に落下させる機能を備えている。
【００５６】
キャンセルシュート３００は、キャンセルシュータ１４０を通じて落下したメダルをメダル払い出し口２０から排出し返却する機能を備えている。また、このキャンセルシュート３００は、メダルホッパー２１から払い出されたメダルをメダル払い出し口２０からメダル受け部１９に払い出す機能を備えている。図３に示すように、キャビネット１ａの内部に設けられたリールユニット３の下側にはメダルホッパー２１（メダル払出装置）が設置されている。
【００５７】
メダルホッパー２１は、メダルを貯留するホッパータンク２１ａと、このホッパータンク２１ａに貯留されたメダルを排出するホッパー本体２２とを有している。また、このホッパー本体２２の内部には、メダル排出機構（図示せず）が設けられており、パチスロ遊技による遊技結果（入賞役）に応じて払い出されるメダルを排出ノズル２３を通じてキャンセルシュート３００に排出するように構成されている。
【００５８】
前述したように、ホッパー本体２２の排出ノズル２３から排出されたメダルは、キャンセルシュート３００から前面ドア２の下方部に開口したメダル払い出し口２０を介して、メダル受け部１９に払い出される。また、キャビネット１ａの底部の左側には、パチスロ機１のキャビネット１ａ内に装着された各部品に電力を供給する電源部２４が設けられている。
【００５９】
[メダルセレクタ１００の構成]
次に、図４〜図７を参照して、本実施例で示すパチスロ機１に備えているメダルセレクタ１００の構成及び特徴について説明する。このうち、図４は、メダルセレクタ１００の全体構成を示す平面図（表面）を、図５は、メダルセレクタ１００の全体構成を示す平面図（裏面）及び要部拡大図をそれぞれ示している。
【００６０】
ここで、本実施例に係るパチスロ機１に備えたメダルセレクタ１００の特徴は、メダルカウントの誤作動を目的として使用される不正部材１２１（例えば、「フレキシブル基板」）がメダルセレクタ１００の内部に挿入されたことを、サブプレート１３０の開閉動作に基づいて検出する不正部材検出装置２００を備えたことにある。
【００６１】
概略的に説明すると、第三者が不正行為を行なう目的で不正部材１２１を使用する場合には、メダルプレッシャ１１４によるエラー検知を回避するために、意図的にサブプレート１３０を開放させることに着目し、正常な操作時以外（例えば、メダルレール１１１とサブプレート１３０との間に、メダルが詰まった場合などに行なう解除操作時以外）に行なわれるサブプレート１３０の開放動作を不正部材検出装置２００で検出することにより、不正部材１２１の使用を判定するとともに、この不正部材１２１の使用が判定された場合に、メダルのカウントを無効とするエラー状態を作動させる構成に特徴がある。
【００６２】
このため、以下の説明では、不正部材検出装置２００の構成及び特徴を中心に説明する。なお、メダルセレクタ１００を構成する各部の構成要件において、前述した従来のメダルセレクタ１００ａと同様の構成要件については、その構成及び機能の詳細については省略する。
【００６３】
図４及び図５に示すように、メダルセレクタ１００を構成するベース板部１１０の上流端には、メダル投入口１２（図１）から投入されるメダルを受け入れるメダル入口部１１２が設けられている。また、このメダルセレクタ１００を構成するベース板部１１０の表面部には、メダル入口部１１２を通じてメダルセレクタ１００内を通過するメダルを、メダル計数センサ１２０の位置まで案内するための略Ｌ字型のメダルレール１１１が形成されている。
【００６４】
また、このメダルレール１１１の上部側には、正規の大きさのメダルをメダルレール１１１の下流側にガイドするセレクトプレート１１３が配設されている。また、セレクトプレート１１３の配設位置よりも下方であって、メダルレール１１１の表面部のほぼ中央位置には、通過するメダルにより下方に押し込まれるメダルプレッシャ１１４が設けられている。
【００６５】
また、ベース板部１１０の全体を覆うようにサブプレート１３０が取り付けられており、このサブプレート１３０は、サブプレート１３０に装着された捻りコイルばね１３３によりベース板部１１０に形成されたメダルレール１１１に対して、開閉自在に設けられている。図４に示すように、サブプレート１３０は、平板状の本体部１３１を有するとともに、この本体部１３１の上部位置に設けた軸部１３２には捻りコイルばね１３３（トーションバネ）が巻装されている。
【００６６】
通常時、サブプレート１３０は、ベース板部１１０に固設された軸部１３２に巻装された捻りコイルばね１３３による弾力により、ベース板部１１０に押し付けられており、メダルの通過を許容するガイド板として機能する。
【００６７】
一方、例えば、メダルセレクタ１００内にメダル詰まりが生じた場合などでは、メダル返却ボタン１２ａ（図１）の操作（押下）により、サブプレート１３０を捻りコイルばね１３３の弾力に抗して、メダルレール１１１から離隔する方向に開放させることができ、このサブプレート１３０の開放により詰まったメダルをキャンセルシュータ１４０(図３)内に排出させることができる。
【００６８】
前述したように、このキャンセルシュータ１４０内に排出されたメダルは、キャンセルシュート３００を通じてメダル払い出し口２０（図１）から返却される。また、メダルレール１１１の下流側には、正規のメダルの枚数をカウント（計数）するメダル計数センサ１２０が設けられている。
【００６９】
メダル計数センサ１２０（ダブル反射型フォトセンサ）は、一対の発光素子１２０ａと受光素子１２０ｂとを有し、メダルに対して発光素子１２０ａから光を照射するとともに、メダルから反射された反射光を受光素子１２０ｂにより受光することで、メダルのカウント（メダルの枚数の計数）を行なう機能を備えている。なお、本実施例では、前述したように、不正部材検出装置２００により不正部材１２１の挿入が検出された場合、メダル計数センサ１２０によるメダルのカウントは無効となる。
【００７０】
また、メダルレール１１１の上流側には、矩形型の切り欠き部１０４が形成されており、この切り欠き部１０４の位置に、不正部材１２１が挿入されたことを検出するための不正部材検出装置２００が配設されている。
【００７１】
また、メダルセレクタ１００のベース板部１１０の裏面部(図５)の上側位置には、一対の支持腕部１１５と、通路遮蔽部材２１０の回動を検出するためのエラー状態検出センサ１５０とが取り付け固定されている。また、一対の支持腕部１１５に、不正部材検出装置２００が回動可能に取り付けられている。
【００７２】
ここで、図５とともに、図６を参照して、不正部材検出装置２００の構成について説明する。図６は、不正部材検出装置２００の全体構成の斜視図を示している。すなわち、図６に示すように、不正部材検出装置２００は、全体が略Ｌ字型に構成され、幅広の矩形型に形成された通路遮蔽部材２１０と、この通路遮蔽部材２１０の基端部からほぼ９０度に屈曲した回動板部２２０とを備えている。
【００７３】
このうち、回動板部２２０は、一対の平板部２３０、２４０と、これら一対の平板部２３０、２４０との間に挟持された中空円筒状の回動軸部２５０とを備えている。また、一対の平板部２３０、２４０のうちの片方の平板部２３０には、内側に向けて延出された検知片２３５が設けられている。この検知片２３５の回動角度に基づいて、ベース板部１１０の裏面部(図５)に設けられたエラー状態検出センサ１５０の出力レベルはＯＮ／ＯＦＦ何れかのレベルに変化する。
【００７４】
具体的に説明すると、不正部材検出装置２００の平板部２３０に設けられた検知片２３５は、通路遮蔽部材２１０の偏倚角度に基づいて、位置が変位するようになっており、例えば、この検知片２３５がエラー状態検出センサ１５０の検出部を遮蔽している場合(図７参照)、このエラー状態検出センサ１５０の出力はＯＦＦとなる。
【００７５】
一方、検知片２３５がエラー状態検出センサ１５０の検出部から離隔した場合(図９参照)、このエラー状態検出センサ１５０の出力はＯＮとなり、この時に、不正部材１２１の挿入が判定され、メダルカウントを無効とするエラー検出信号の送信によりエラー状態が作動することとなる。
【００７６】
すなわち、本実施例では、このエラー状態検出センサ１５０の出力がＯＦＦからＯＮとなり、ＯＮ状態が所定時間継続した場合に、不正部材１２１を使用するためにサブプレート１３０が意図的に開放されたことを判定する。
【００７７】
また、回動軸部２５０に形成された挿入孔２５１には、回動軸２５２(図５)が挿通されるともに、この回動軸２５２は、ベース板部１１０の裏面部(図５)に固設されている支持腕部１１５に回動自在に支持される。これにより、通路遮蔽部材２１０は、回動軸２５２を中心として所定の角度に回動することができる。
【００７８】
また、回動軸２５２の周囲には、捻りコイルばね１３３（トーションバネ）が巻装されており、この捻りコイルばね１３３の押圧力により、常時、通路遮蔽部材２１０は、サブプレート１３０側に押圧されている。なお、この捻りコイルばね１３３の押圧力は比較的小さな値に設定されている。具体的には、メダルレール１１１上を通過するメダルにより押すことができる程度の押圧力に設定されている。
【００７９】
次に、図７を参照して、不正部材検出装置２００の機能の詳細について説明する。図７は、不正部材検出装置２００が配設されたメダルセレクタ１００の要部断面図を示している。具体的には、メダル投入口１２からメダルの投入がない状態（メダルの通過がなく、メダルの投入以前の状態）及び不正部材１２１の使用がない状態（未挿入状態）を示している。なお、以下の説明では、図７で示しているメダルセレクタ１００の状態を「通常状態」と称する。
【００８０】
すなわち、図７に示すように、サブプレート１３０の閉鎖時（メダル返却ボタン１２ａによる操作がない場合）において、不正部材検出装置２００を構成する通路遮蔽部材２１０は、メダルレール１１１に形成された切り欠き部１０４から突出した状態で、捻りコイルばね１３３(図５)の押圧力により、サブプレート１３０の内面部１３４に向けて所定の角度（１５度程度）偏倚した状態で停止している。
【００８１】
この場合、同図に示すように、通路遮蔽部材２１０の先端部２１１は、サブプレート１３０の内面部１３４と当接しており、これにより、メダルレール１１１の上流側から下流側に至る通路が一時的に遮蔽されることとなる。
【００８２】
そして、この場合、エラー状態検出センサ１５０の検知片２３５は、検出部を遮蔽しているため、このエラー状態検出センサ１５０の出力はＯＦＦとなる。前述したように、このようにエラー状態検出センサ１５０の出力レベルがＯＦＦの場合、メダルカウントを無効とするエラー状態が作動することはない。
【００８３】
[メダル投入時の不正部材検出装置２００の動作]
次に、図８を参照して、メダル投入時の不正部材検出装置２００の動作の詳細について説明する。図８は、メダルが投入された時の不正部材検出装置２００の動作状態の要部断面図を示している。
【００８４】
すなわち、図８に示すように、メダルセレクタ１００の通常状態時において、メダル投入口１２(図１)から投入されたメダルがメダル入口部１１２を通じて、メダルレール１１１上を通過する場合、不正部材検出装置２００の通路遮蔽部材２１０は、メダルレール１１１上を上流側から下流側に向けて進行するメダルにより押圧される。これにより、通路遮蔽部材２１０は、捻りコイルばね１３３(図５)の弾力に抗して、時計方向（破線位置から実線位置）に回動し、切り欠き部１０４に収容される。これにより、不正部材検出装置２００の通路遮蔽部材２１０は、メダルの通過を阻止することなく、このメダルを通過させることができる。
【００８５】
そして、この時には、通常状態の動作と同様に、エラー状態検出センサ１５０の検知片２３５の位置は、検出部を遮蔽する位置となり、これにより、このエラー状態検出センサ１５０による出力はＯＦＦのまま変化しないため、エラー状態は作動しない。
【００８６】
すなわち、メダル投入口１２から投入されたメダルセレクタ１００のメダルレール１１１を通過する場合には、不正部材検出装置２００の通路遮蔽部材２１０はメダルの通過を許容するとともに、エラー状態は作動することなく、メダルセレクタ１００により正規のメダルと判定されたメダルのカウントを行なう。
【００８７】
[不正部材１２１の挿入時の不正部材検出装置２００の動作]
次に、図９を参照して、不正部材１２１が使用された時の不正部材検出装置２００の動作を説明する。図９は、不正部材１２１がメダルセレクタ１００内に挿入された時の不正部材検出装置２００の動作状態の要部断面図を示している。
【００８８】
すなわち、図９に示すように、通常状態時のメダルセレクタ１００において、第三者がサブプレート１３０を白色Ａ矢印方向に開放させ、不正部材１２１を挿入する場合、このサブプレート１３０の開放に伴い通路遮蔽部材２１０は、捻りコイルばね１３３の弾力により、サブプレート１３０が開放する方向と同方向（黒色Ａ矢印方向）に向けて、サブプレート１３０の動きと追従しながら通常状態の位置から所定の角度（３０度程度）偏倚する。
【００８９】
同図に示すように、この時、通路遮蔽部材２１０の先端部２１１とサブプレート１３０の内面部１３４とが当接するため、メダルレール１１１の上流側から下流側に至る通路が一時的に遮蔽されることとなる。ここで、前述したように、捻りコイルバネ１３３による当接圧は、比較的小さな当接圧に設定されているため、不正部材１２１は、サブプレート１３０の内面部１３４と通路遮蔽部材２１０の先端部２１１との間を通じて、メダルセレクタ１００の内部に侵入する(図１０−１参照)。
【００９０】
そして、この時にエラー状態検出センサ１５０の検知片２３５は、通路遮蔽部材２１０の偏倚角度に基づいて、検出部から離隔する位置（検出部を遮蔽しない位置）に回動するため、このエラー状態検出センサ１５０による出力は所定時間ＯＮとなる。これにより、エラー信号の送信によるエラー状態が作動することからメダル計数センサ１２０によるメダルカウントを無効とすることができる（メダル枚数のカウントは行なわない）。
【００９１】
すなわち、このように、本実施例におけるメダルセレクタ１００の場合、メダルプレッシャ１１４に接触することを回避するためにサブプレート１３０を開放した状態で不正部材１２１を挿入する操作を行なった場合でも、不正部材検出装置２００の通路遮蔽部材２１０がサブプレート１３０の開放にともない所定の角度偏倚することで、この偏倚角度に応じてエラー状態検出センサ１５０によるエラー検知を行なう構成としているので、これにより、不正部材１２１の使用によるメダルカウントの誤動作を目的とした不正行為を確実に防止することができる。
【００９２】
[不正部材１２１の引き抜き防止機能]
ここで、本実施例で示す不正部材検出装置２００は、第三者による不正部材１２１の挿入を検出する機能に加えて、メダルセレクタ１００の内部に挿入された不正部材１２１の引き抜きを阻止する機能も備えている。以下、不正部材検出装置２００の通路遮蔽部材２１０による引き抜き防止機能について、図１０−１及び図１０−２を参照して説明する。ここで、図１０−１は、メダルセレクタ１００の内部に不正部材１２１が挿入された状態を、図１０−２は、通路遮蔽部材による不正部材の引き抜き阻止状態を示す縦断面図である。
【００９３】
すなわち、図１０−１に示すように、サブプレート１３０の開放にともない不正部材検出装置２００の通路遮蔽部材２１０は、サブプレート１３０側に向けて偏倚し、この通路遮蔽部材２１０の先端部２１１とサブプレート１３０の内面部１３４とが当接することとなる。ここで、前述したように、通路遮蔽部材２１０をサブプレート１３０側に偏倚させ押し付けている捻りコイルバネ１３３による当接圧は比較的小さな当接圧に設定されているため、メダルセレクタ１００内部に挿入された不正部材１２１は、サブプレート１３０の内面部１３４と通路遮蔽部材２１０の先端部２１１との間を通じて、メダルレール１１１の上流側から下流側に進行することができる。
【００９４】
一方、図１０−２に示すように、一旦、メダルセレクタ１００の内部に挿入させた不正部材１２１を、メダルセレクタ１００から引き抜こうとした場合、この状態では、不正部材検出装置２００の通路遮蔽部材２１０は、サブプレート１３０側に向けて偏倚し、通路遮蔽部材２１０の先端部２１１とサブプレート１３０の内面部１３４とが当接している。このため、メダルセレクタ１００内に挿入された不正部材１２１を、メダルレール１１１の下流側から上流側に向けて引き抜こうとしても、この不正部材１２１の先端部１２４の段部と、通路遮蔽部材２１０の先端部２１１とが衝合する。これにより、同図に示すように、メダルセレクタ１００の内部から不正部材１２１を引き抜きを阻止することができる。
【００９５】
以上説明したように、通路遮蔽部材２１０は、一度、メダルセレクタ１００の内部に挿入した不正部材１２１を、このメダルセレクタ１００の内部から引き抜こうとした場合でも、サブプレート１３０の開放動作により偏倚した通路遮蔽部材２１０の先端部２１１に不正部材１２１が衝合することなり、これにより、不正部材１２１の引き抜きを確実に阻止することができるうえ、不正部材１２１の使用による不正行為が行なわれたことを的確に判定することができる。
【００９６】
ここで、図１０−２に示す通路遮蔽部材２１０の先端部２１１には、特に、不正部材１２１の逆行操作を阻止するための阻止部は設けていないが、この先端部２１１に、不正部材１２１の先端部１２４(図１６)の段部と係合する阻止部を設けてもよい、この場合、メダルレール１１１の下流側から上流側に向けて逆行する不正部材１２１は、通路遮蔽部材２１０に形成された阻止部と係合し、この阻止部によりその移動が阻止されるため、この不正部材１２１の引き抜きを確実に阻止することができる。
【００９７】
［パチスロ機１の電気的構成：主制御回路７１］
次に、図１１を参照して、図１に示したパチスロ機１の電気的構成について説明する。図１１は、実施例に係るパチスロ機１の電気的構成（電気回路）を示すブロック図を示している。同図に示すように、パチスロ機１を構成する電気回路は、パチスロ機１の遊技処理動作を全体的に制御する主制御回路７１と、この主制御回路７１に電気的に接続される各種の周辺装置（アクチュエータ）と、主制御回路７１から送信される制御指令に基づいて液晶表示部２ｂとスピーカ６Ｌ，６ＲとＬＥＤ類２０１及びランプ類２０２を制御する副制御回路７２とが含まれる。
【００９８】
主制御回路７１と各種の制御基板及び各種の周辺装置（アクチュエータ）は、Ｉ／Ｏポート３８を介して、電気的に各種信号を入出力可能に接続されている。主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＡＭ３２とＲＯＭ３３とを有する。
【００９９】
ＣＰＵ３１には、基準クロックパルスを発生するクロックパルス発生回路３４及び分周器３５と、サンプリングされる乱数を発生する乱数発生器３６及びサンプリング回路３７とが接続されている。
【０１００】
乱数発生器３６は、一定の数値範囲に属する乱数を発生し、サンプリング回路３７は、スタートレバー１７が操作された後の適宜のタイミングで乱数をサンプリングする。こうしてサンプリングされた乱数を使用することにより、例えば、ＲＯＭ３３内に格納されている確率抽籤テーブルなどに基づいて内部当籤役などが決定される。なお、マイクロコンピュータ３０内のＣＰＵ３１上で乱数サンプリング用プログラムを実行してソフトウエア的に乱数サンプリングを行うこともできる。この場合、乱数発生器３６及びサンプリング回路３７を省略することができる。
【０１０１】
マイクロコンピュータ３０のＲＯＭ３３には、副制御回路７２へ送信するための各種制御指令及びスタートレバー１７を操作（スタート操作）する毎に行われる乱数サンプリングの判定に用いられる確率抽籤テーブルや停止用当籤役決定テーブル、停止ボタン１８Ｌ，１８Ｃ，１８Ｒの操作に応じてリールの停止態様を決定するための停止テーブル群などが格納されている。なお、副制御回路７２が主制御回路７１へ制御指令や情報等を入力することはなく、主制御回路７１から副制御回路７２への一方向で通信が行われる。
【０１０２】
さらに、このＲＯＭ３３内には、表示役に対応する各種の図柄の組合せと、メダルの配当枚数と、その入賞（成立）を表わす入賞判定コード（成立判定コード）とが対応付けられた表示役特定テーブルが格納されている。この表示役特定テーブルは、左のリール３Ｌ，中央のリール３Ｃ，右のリール３Ｒの停止制御時並びに全リール３Ｌ，３Ｃ，３Ｒの停止後の表示役の確認を行なう際に参照される。表示役（表示役データ）は、有効ラインに沿って並ぶ図柄組合せに対応する役（成立役）であり、遊技者にはこの表示役に対応する利益が付与される。また、ＲＡＭ３２には、パチスロ機１の入賞に係わる内部当籤役、持越役、現在の遊技状態などの種々の情報が格納される。
【０１０３】
マイクロコンピュータ３０からの制御信号により動作が制御される主要なアクチュエータとしては、ＢＥＴランプ（１−ＢＥＴランプ７ａ、２−ＢＥＴランプ７ｂ、３−ＢＥＴランプ７ｃ）と、ボーナス回数表示部８、クレジット表示部９、払出枚数表示部１０などの表示部と、メダルを収納しホッパー駆動回路４６の命令により所定枚数のメダルを払出すメダルホッパー２１（払出しのための駆動部を含む）と、リール３Ｌ，３Ｃ，３Ｒを回転駆動するステッピングモータ４９Ｌ，４９Ｃ，４９Ｒとがある。
【０１０４】
また、ステッピングモータ４９Ｌ，４９Ｃ，４９Ｒを駆動制御するモータ駆動回路５０、メダルホッパー２１を駆動制御するホッパー駆動回路４６、ＢＥＴランプ（１−ＢＥＴランプ７ａ、２−ＢＥＴランプ７ｂ、３−ＢＥＴランプ７ｃ）を駆動制御するランプ駆動回路４５並びにボーナス回数表示部８、クレジット表示部９、払出枚数表示部１０などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【０１０５】
また、マイクロコンピュータ３０へは、スタートスイッチ１７Ｓ、ＢＥＴスイッチ（１−ＢＥＴスイッチ１３Ｓ、２−ＢＥＴスイッチ１４Ｓ、３−ＢＥＴスイッチ１５Ｓ）、リール位置検出回路４９、払出完了信号回路４７から入力信号が入力され、これらに基づいて制御指令が発生される。
【０１０６】
スタートスイッチ１７Ｓは、スタートレバー１７の操作を検出するスイッチである。ＢＥＴスイッチ１３Ｓ，１４Ｓ，１５Ｓは、１−ＢＥＴボタン１３，２−ＢＥＴボタン１４，３−ＢＥＴボタン１５の背面に設けられ各１−ＢＥＴボタン１３，２−ＢＥＴボタン１４，３−ＢＥＴボタン１５の操作に応じて信号を発生するスイッチである。
【０１０７】
Ｃ／Ｐスイッチ１６Ｓは、Ｃ／Ｐボタン１６の背面に設けられＣ／Ｐボタン１６の操作に応じて信号を発生するスイッチである。リール位置検出回路４９は、リール回転センサからのパルス信号を受けて各リール３Ｌ，３Ｃ，３Ｒの位置を検出するための信号をＣＰＵ３１へ供給する回路である。払出完了信号回路４７は、メダルホッパー２１から払出されたメダルの枚数が指定された枚数データに達した時にメダル払出完了を示す信号を発生する。
【０１０８】
リール３Ｌ，３Ｃ，３Ｒの回転が開始された後、ステッピングモータ４９Ｌ，４９Ｃ，４９Ｒの各々に供給される駆動パルスの数が計数され、その計数値がＲＡＭ３２の所定エリアに書き込まれる。リール３Ｌ，３Ｃ，３Ｒからは一回転毎にリセットパルスが得られ、これらのパルスはリール位置検出回路４９を介してＣＰＵ３１に入力される。このようにして得られたリセットパルスにより、ＲＡＭ３２で計数されている駆動パルスの計数値が“０”にクリアされる。これにより、ＲＡＭ３２内には、各リール３Ｌ，３Ｃ，３Ｒについて一回転の範囲内における回転位置に対応した計数値が格納される。
【０１０９】
上記のようなリール３Ｌ，３Ｃ，３Ｒの回転位置とリール外周面上に描かれた図柄とを対応づけるために、図柄テーブル（図示せず）が、ＲＯＭ３３内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応付けられている。
【０１１０】
ＣＰＵ３１は、上記乱数サンプリングに基づく抽籤処理（確率抽籤処理など）により内部当籤役や停止用当籤役を決定したならば、遊技者が停止ボタン１８Ｌ，１８Ｃ，１８Ｒを操作したタイミングで停止スイッチ１８ＬＳ，１８ＣＳ，１８ＲＳから送られる操作信号並びに決定された停止テーブルに基づいて、リール３Ｌ，３Ｃ，３Ｒを停止制御する信号をモータ駆動回路５０に送出する。ただし、遊技者によるコマンドの入力を受け付ける場合には、ＣＰＵ３１は、遊技者が停止ボタン１８Ｌ，１８Ｃ，１８Ｒを操作したとしても、リール３Ｌ，３Ｃ，３Ｒを停止制御する信号をモータ駆動回路５０に送出しない。
【０１１１】
また、ＣＰＵ３１は、当籤した役の入賞を示す停止態様（即ち入賞態様）になれば、払出指令信号をホッパー駆動回路４６に供給してメダルホッパー２１から所定枚数のメダルの払出を行う。払出完了信号回路４７は、 メダル検出部２１Ｓの計数値（メダルホッパー２１から払い出されたメダルの枚数）が指定された枚数データに達した時、メダル払出完了信号を検知するための信号を発生する。すなわち、メダル検出部２１Ｓは、メダルホッパー２１から払出されるメダルの枚数を計数し、その計数値が指定された数に達した時にメダル払出完了信号を、払出完了信号回路４７を介して、ＣＰＵ３１に入力される。これにより、ＣＰＵ３１は、ホッパー駆動回路４６を介してメダルホッパー２１の駆動を停止し、メダル払出処理を終了することになる。副制御回路７２は、画像表示やランプ表示および音声出力を含む遊技の演出を制御する機能を備えている。具体的には、主制御回路７１から送信される制御指令に基づいて液晶表示部２ｂ、スピーカ６Ｌ，６Ｒおよび各種のＬＥＤ類やランプ類を制御する。
【０１１２】
[発明の効果]
上述してきたように、本発明によれば、サブプレート１３０の開閉方向に追従して偏倚する通路遮蔽部材２１０と、通路遮蔽部材２１０の偏倚角度に基づいて、メダルカウントを無効にするエラー信号を通知するエラー状態検出センサ１５０とを備えた不正部材検出装置２００をメダルセレクタ１００のメダルレール１１１上のサブプレート１３０と対向する位置に配設し、サブプレート１３０の開方動作時に、サブプレート１３０の開放方向に追従して偏倚する通路遮蔽部材２１０の偏倚角度に基づいて、メダルカウントを無効にするエラー状態を作動せるので、メダルセレクタ１００の内部に不正部材１２１が挿入されたことを確実に検出することができ、これにより、メダルカウントの誤作動を目的とした不正行為を確実に防止することができる。
【産業上の利用可能性】
【０１１３】
以上のように、本発明に係る遊技機は、メダルカウントの誤作動を目的とした不正行為を確実に防止できる遊技機に適する。
【図面の簡単な説明】
【０１１４】
【図１】実施例に係るパチスロ機の外観構成を示す全体斜視図である。
【図２】実施例に係る前面ドアの構成を示す正面図である。
【図３】実施例に係るパチスロ機の内部構成を示す正面図である。
【図４】メダルセレクタの全体構成を示す平面図（表面図）である。
【図５】メダルセレクタの全体構成を示す平面図（裏面図）及び要部拡大図である。
【図６】不正部材検出装置の全体構成を示す斜視図である。
【図７】メダルセレクタの要部を示す縦断面図である。
【図８】メダル投入時の不正部材検出装置の動作を示す説明図である。
【図９】不正部材挿入時の不正部材検出装置の動作を示す説明図である。
【図１０−１】メダルセレクタ内部に不正部材が挿入された状態を示す縦断面図である。
【図１０−２】不正部材検出装置による不正部材の引き抜き阻止状態を示す縦断面図である。
【図１１】実施例に係る主制御回路の内部構成を示すブロック図である。
【図１２】従来のサブプレート構成を示す平面図である。
【図１３】サブプレート及びキャンセルシュータを取り除いたメダルセレクタの構成を示す平面図である。
【図１４】メダルセレクタを示す裏面図である。
【図１５−１】正規メダルの通過経路を示す説明図である。
【図１５−２】不正メダルの通過経路を示す説明図である。
【図１６】不正部材の概要を示す構成図である。
【符号の説明】
【０１１５】
１  パチスロ機
２  前面ドア
３  リールユニット
３Ｌ，３Ｃ，３Ｒ  リール
６Ｌ，６Ｒ  スピーカ
１１  台座部
１２  メダル投入口
１６  Ｃ／Ｐボタン
１７  スタートレバー
１８Ｌ，１８Ｃ，１８Ｒ  停止ボタン
１９  メダル受け部
２０  メダル払い出し口
２３  排出ノズル
１００、１００ａ  メダルセレクタ
１１１  メダルレール
１１３  セレクトプレート
１２０  メダル計数センサ
１２０ａ、１２５  発光素子
１２０ｂ  受光素子
１２１  不正部材
１３０  サブプレート
１３３  捻りコイルばね
１４０  キャンセルシュータ
２００  不正部材検出装置
２１０  通路遮蔽部材
【図１】
2008029637.tif 000003
【図２】
2008029637.tif 000004
【図３】
2008029637.tif 000005
【図４】
2008029637.tif 000006
【図５】
2008029637.tif 000007
【図６】
2008029637.tif 000008
【図７】
2008029637.tif 000009
【図８】
2008029637.tif 000010
【図９】
2008029637.tif 000011
【図１０−１】
2008029637.tif 000012
【図１０−２】
2008029637.tif 000013
【図１１】
2008029637.tif 000014
【図１２】
2008029637.tif 000015
【図１３】
2008029637.tif 000016
【図１４】
2008029637.tif 000017
【図１５−１】
2008029637.tif 000018
【図１５−２】
2008029637.tif 000019
【図１６】
2008029637.tif 000020